【事件の表示】
　平成　９年特許願第２８５３９０号「画像処理装置」拒絶査定不服審判事件〔平成１１年　４月３０日出願公開、特開平１１−１２２４８６〕について、次のとおり審決する。
【結　論】
　本件審判の請求は、成り立たない。
【理　由】
１．手続きの経緯・本願発明
　本願は、平成９年１０月１７日に出願されたものであって、平成１５年４月１５日付けで拒絶査定がされ、これに対し平成１５年５月２２日に拒絶査定に対する審判請求がなされると同時に手続補正がなされ、その後平成１７年８月２９日に当審において拒絶の理由が通知され、これに対し平成１７年１０月２８日付けで手続補正がなされたものであり、その請求項１ないし９に係る発明は、平成１２年２月１日、平成１４年９月３日、平成１５年５月２２日、及び平成１７年１０月２８日付けの手続補正によって補正された明細書及び図面の記載からみて、特許請求の範囲の請求項１ないし９に記載されたとおりのものと認められるところ、請求項１に係る発明（以下、「本願発明」という。）は、次のとおりのものである。
　
　「【請求項１】画像情報を多値画像として入力するための画像情報入力手段と、
　上記画像情報入力手段により多値画像として入力された画像情報に対して所定の画像処理を行うための第１の画像処理手段と、
　上記第１の画像処理手段により所定の画像処理が施された画像情報に対して、異なる２値画像として所定の画像処理を行うための第２の画像処理手段と、
　上記第１の画像処理手段もしくは第２の画像処理手段により所定の処理が施された画像情報を画像として再現するための画像情報再現手段とからなり、
　上記画像情報再現手段は上記第１の画像処理手段に接続され、
　上記第２の画像処理手段には、さらに、外部から通信手段を介して送られてきた画像情報を受け入れるための入力部を備えており、
　上記第２の画像処理手段は上記第１の画像処理手段に対し追加可能な異なる構成部品として分割構成されており、かつ上記入力部から入力された外部から通信手段を介して送られてきた画像情報を２値画像として処理し、
　上記第２の画像処理手段には、外部からの画像情報が記憶可能な画像記憶手段が接続され、
　上記画像情報入力手段により入力された画像情報は上記第１の画像処理手段により上記所定の画像処理が施され上記画像情報再現手段により画像として再現されるとともに、さらに上記第２の画像処理手段を追加することにより上記２値画像として所定の画像処理が施され上記画像情報再現手段により画像として再現され、
　上記入力部により外部から入力された画像情報は上記第２の画像処理手段に転送され上記画像記憶手段へ記憶されることを特徴とする画像処理装置。」
　
２．引用例
　当審が拒絶の理由に引用した特開昭６４−７０８７９号公報（昭和６４年３月１６日出願公開。以下、「引用例１」という。）には、図面と共に次の各記載がある。
　
（ア）「（産業上の利用分野）
　本発明は、原画像データに対して演算処理を施し、階調補正や画質鮮鋭化などの画像データ変換処理や原画像データからの特徴抽出などの処理を実現するためのディジタル画像処理装置に関するものである。
（従来の技術）
　ディジタル画像処理装置は、画像データを入出力するための画像入出力回路と、画像データを記憶するための画像メモリと、画像データに対して演算処理を施す処理回路などのハードウエア、及び、これらの各ハードウエアを制御したり、ソフトウエアによって画像データに対する演算処理を施すホストＣＰＵなどによって構成される。また、場合によっては、ホストＣＰＵによるソフトウエア処理では実現できない高速なハードウエア制御のための制御回路が含まれる。
　演算処理は、画像入力回路より得られる画像データや画像メモリの読出しデータを処理回路が処理する場合と、ホストＣＰＵが画像メモリ上のデータに対してソフトウエアによって処理を施す場合があるが、処理回路によるハードウエア処理が高速処理には適している。その場合、画像入力回路と処理回路あるいは画像メモリと処理回路の間は画像データの授受が行えるように何等かの形で結合されなければならない。ハードウエアの構成が限定されている場合には、それらの結合方式は特定の信号ラインによって実現できるが、ハードウエアの構成に柔軟性や拡張性を持たせることが必要である場合には、データバスを用いた結合方式が必要となる。特に、演算機能が豊富で、多目的に利用されることを目指した汎用的な画像処理装置の場合には、専用のデータバスを設け、ハードウエア各部の回路間で画像データが転送されるのが一般的である。
　
第７図にハードウエア各部が画像データ専用のデータバスによって結合された画像処理装置の構成例を示す。図中、１はホストＣＰＵ、２は画像入力回路、３は画像出力回路、Ｍ１は画像メモリ、Ｐ１は処理回路、Ｂ０はホストＣＰＵバス、Ｂ１は画像データバスである。このうち、画像入力回路２、画像出力回路３、画像メモリＭ１、処理回路Ｐ１の各回路は必要に応じて複数存在する場合がある
　
画像データの入力は、画像データバスＢ１を介して画像入力回路２から画像メモリＭ１に対して画像データを転送することにより達成される
　
画像データの演算処理は、画像メモリＭ１から読み出された画像データが画像データバスＢ１を介して処理回路Ｐ１に入力され、演算処理を施され、その処理結果の画像データが再び画像データバスＢ１を介して画像メモリＭ１に書き込まれることにより完結する
　
画像データの出力は、画像メモリＭ１から読み出された画像データが画像データバスＢ１、画像出力回路３を介して、外部の画像表示機器や画像記録機器などに出力されることにより達成される
　以上の他、
画像データバスＢ１の内部構成によっては、画像入力回路２より得られる画像データを処理回路Ｐ１に直接導くこともできるし、あるいは、処理回路Ｐ１の出力するデータを画像出力回路３へ直接導くこともできる
画像データバスＢ１を介した各回路の接続関係によって画像入力、画像処理、画像出力などの動作状態が決定される
　ここまでの説明では、扱われる画像データが多値画像であるか２値画像であるかを考えていなかったが、一般に、画像データが処理される場合、最初入力される画像データが階調を伴う多値画像であっても、処理結果として２値化されたり、その２値画像が処理されたり、２値画像を制御データとして多値画像が処理されるなど、多値画像と２値画像を共に扱うことが多い。そのため、第７図の含まれる各回路と、画像データバスＢ１は多値画像と２値画像の両方を扱えなければならず、少なくとも扱う多値画像の階調に応じたビット幅を有していなければならない。
　従来、このような画像処理装置で２値画像が扱われる場合、例えば、処理回路Ｐ１が処理結果として２値画像を生成し、そのデータを画像メモリＭ１に格納するような場合、２値画像を多値画像に拡張して、多値画像用の画像メモリＭ１に格納していた。２値画像を多値画像に拡張するには、一般に２値画像の１と０を多値画像の各ビットに対応させる。多値画像の１画素が８ビットで表されるならば、２値画像の１と０はそれぞれ２５５と０に拡張される。このように拡張すれば、多値画像用の処理回路Ｐ１を用いて２値画像に対する演算を行っても矛盾のない結果が得られる。また、このように特定の２値として、多値画像中の白レベルと黒レベルに相当する値を採用すれば、多値画像を表示する回路で２値画像データをそのまま表示することが可能となる。
　さらに、画像処理装置で２値画像が扱われる場合には、２値画像を制御データとして、処理回路Ｐ１の演算機能を切り換える場合がある。例えば、２枚の画像データについて各画素位置における大きい方の値を得る処理（最大値処理）では、まず、２枚の多値画像間で画素毎に減算処理を行い、その時発生するボローデータに相当する２値画像を得て、次に、その２値画像を用いて２枚の多値画像を画素単位に切り換えて合成する。
　第８図に本発明に先立って考えた２値画像により演算機能を切り換えることのできる処理回路Ｐ１とその周辺回路との接続関係を示す。図中、Ｍpは処理回路P1に付帯して設けられた２値画像メモリであり、処理回路P1の出力する２値画像のデータを格納するための専用の２値画像メモリである。FRa及びFRbは処理回路P1の演算機能を指定する２つのファンクションレジスタ、FSは２つのファンクションレジスタFRa,FRbの値を２値画像メモリＭpの読出しデータに従って切り換えて処理回路P1のファンクション入力FIに与えるためのファンクションセレクタ、B1a,B1bは処理回路P1の２つの画像データ入力ポートIPa,IPbに画像データを供給するための画像データバス、B1cは処理回路P1が出力する処理結果を他の回路へ供給するための画像データバスである。例に挙げた最大値処理では、まず、第１のフレームでは２枚の画像データがデータバスB1a,B1bを経由して処理回路P1に入力される。ファンクションレジスタFRa,FRbには減算処理を指定するファンクションコードが共に設定されており、ファンクションセレクタFSの状態に拘わらず処理回路P1は減算処理を行う。処理回路P1の２値画像出力端子O2からは別の設定により減算処理により発生するボローデータを出力するよう指定されており、２値画像メモリＭpには各画素についてのボローデータに相当する２値画像が格納される。第２のフレームでは、ファンクションレジスタFRaとFRbには、それぞれ入力ポートIPaとIPbに入力された画像データをそのまま出力するようなファンクションコードが設定され、ファンクションセレクタFSは２値画像メモリＭpが各画素について出力するボローデータによってファンクションを切り換えて処理回路P1に与える。処理回路Ｐ１へは第１のフレームと同様に、データバスB1a,B1bから２枚の画像データが入力されており、ファンクションの切り換えに従って２枚の画像データが切り換って、多値画像出力端子O1から処理結果として出力される。ファンクションの切り換えは、２枚の画像データの大小関係に依存したボローデータにより行われるので、画像出力として最大値処理された画像出力が得られ、また、ファンクションコードの設定によれば最小値出力を得ることもできる。」（第１頁下右欄第１６行〜第３頁下右欄第２行）
　なお、下線は、当審において附された。以下、同様。
　
（イ）「（発明が解決しようとする問題点）
　以上、第７図及び第８図により従来の画像処理装置における２値画像の取り扱いについて説明したが、従来の方式の２値画像の取り扱いでは、大別して３つの問題点がある。
　
第１の問題点
　
第２の問題点
まず、処理目的に応じて同様の処理回路を増設したい場合に、要不要に拘わらず２値画像メモリが配置されることになり、不経済であること。逆に、２値画像メモリを増設したい場合、２値画像メモリが処理回路に固有の回路であるため、自由に増設しにくいこと。また、処理回路と２値画像メモリの関係が閉じているので、ある処理回路の生成した２値画像で別の処理回路を制御させることは困難であり、別な処理回路に属する２値画像メモリの内容間での演算を行うことも困難であること、などの問題がある
　
第３の問題
　
本発明は、前記問題点を解決するためになされたもので、その目的とするところは、多値画像データと２値画像データが効率良く扱われるようなディジタル画像処理装置を提供することにある
　
（ウ）「（問題点を解決するための手段）
　
本発明は、前記目的を達成するためになされたもので、第１図に示すように、画像データを入出力するための画像入力回路２，３と、画像データを記憶するための画像メモリＭ１，Ｍ２と、画像データに対して処理を施すための処理回路Ｐ１，Ｐ２と、前記各ハードウエアを制御するための制御手段（ホストＣＰＵ１）と、前記各ハードウエア間で画像データを転送するための画像データバスＢ１，Ｂ２とを備えて成る画像処理装置において、前記画像メモリは、１画素につき複数ビットの情報量を持つ多値画像のデータを記憶する多値画像メモリＭ１と、１画素につき１ビットの情報量を持つ２値画像のデータを記憶する２値画像メモリＭ２とを別々に含み、前記処理回路は、多値画像を被処理画像とする多値画像処理回路Ｐ１と、２値画像を被処理画像とする２値画像処理回路Ｐ２とを別々に含み、且つ、前記データバスは、多値画像を取り扱う回路間で多値画像のデータを転送するための多値画像用データバスＢ１と、２値画像を取り扱う回路間で２値画像のデータを転送するための２値画像用データバスＢ２とを別々に含むことを特徴とするものである
（作用）
　以下、第１図により本発明の作用を説明する。
多値画像メモリＭ１は、制御手段（ホストＣＰＵ１）の制御下で多値画像用データバスＢ１上の画像データを記憶し、又は、予め記憶した多値画像の画像データを多値画像用データバスＢ１上に出力する。２値画像メモリＭ２は、同じく制御手段の制御下で２値画像用データバスＢ２上の画像データを記憶し、又は、予め記憶した２値画像の画像データを２値画像用データバスＢ２上に出力する。多値画像処理回路Ｐ１は、制御手段の制御下で多値画像用データバスＢ１上の多値画像を被処理画像として入力して、多値画像又は２値画像を処理結果として出力する。２値画像処理回路Ｐ２は、同じく制御手段の制御下で２値画像用データバスＢ２上の２値画像を被処理画像として入力して、２値画像又は多値画像を処理結果として出力する。いずれの場合にも、処理結果が多値画像であるときには、多値画像用データバスＢ１に出力され、処理結果が２値画像であるときには、２値画像用データバスＢ２に出力される。なお、画像入出力回路２，３は、通常、多値画像用データバスＢ１に接続され、制御手段の制御下にて外部回路との間で多値画像の画像データの入出力を行う
　本発明は上述のような作用を有するので、
２値画像の記憶、処理及び転送は、２値画像メモリＭ２、２値画像処理回路Ｐ２及び２値画像用データバスＢ２をそれぞれ用いて効率良く行うことができる
２値画像の処理は、２値画像を多値画像に拡張することなく、２値画像に対する特有の演算機能を効率良くハードウエア化した２値画像用の処理回路Ｐ２を用いて２値画像のままで効率良く行うことができる
　また、
本発明は、単に多値画像と２値画像を全く別系統で取り扱うようにした点のみに特徴を有するのではなく、多値画像処理回路P1と２値画像処理回路P2及び多値画像メモリＭ１と２値画像メモリＭ２が多値画像用データバスＢ１又は２値画像用データバスＢ２を介して自由に連繋できるという点にも特徴がある
また、このように、２値画像メモリＭ２は特定の処理回路に従属するものではないので、２値画像メモリの増設や処理回路の増設は自由に行うことができ、その際の設計変更も少なくて済む
　
（エ）「本発明のさらに詳しい構成及び作用については、以下の実施例の説明において、一層明らかとなる。
（実施例）
　第１図に本発明によるディジタル画像処理装置の構成を示す。
図中、Ｍ２は２値画像メモリ、Ｐ２は２値画像処理回路、Ｂ２は２値画像専用のデータバスであり、その他の構成については第７図の構成と同じである。多値画像用の画像メモリＭ１及び処理回路Ｐ１と、２値画像用の画像メモリＭ２及び処理回路Ｐ２は共に必要に応じて増設可能である。また、２値画像専用のデータバスＢ２も１本に限らず必要に応じて本数を増やすことができる
　次に、本発明の画像処理装置における画像データの流れについて説明する。
　
まず、最初、画像データが画像入力回路２によって多値画像として取り込まれ、多値画像用データバスＢ１に出力される。データバスＢ１上の多値画像は多値画像メモリＭ１へ入力され蓄積される。場合によっては、データバスＢ１上の多値画像は多値画像処理回路P1に直接入力されて処理を施されてもよく、また画像出力回路３に直接入力されて、外部出力されてもよい
　
多値画像メモリＭ１に格納された多値画像は、処理時には、再び、多値画像用データバスＢ１に出力され、多値画像処理回路P1に入力される。処理回路P1では、入力された多値画像に対して演算処理が施されるが、処理出力としては、多値画像が出力される場合と２値画像が出力される場合がある。多値画像が出力される場合には、多値画像用データバスB1に出力され、２値画像が出力される場合には、２値画像用データバスB2に出力される。処理回路P1からデータバスB１又はB2上に出力されたデータは、多値画像であれば多値画像メモリＭ１に、２値画像であれば２値画像メモリＭ２に格納される
　
２値画像に対する演算処理は、２値画像メモリＭ２から２値画像用データバスＢ２に２値画像が読出され、データバスＢ２上の２値画像が２値画像処理回路Ｐ２に入力されることにより実現される。処理結果として得られる２値画像も再び２値画像用データバスＢ２に出力される
この時、処理される２値画像源は、２値画像メモリＭ２の読出しデータに限らず、多値画像処理回路Ｐ１からの２値画像出力であってもよく、また別の２値画像処理回路（図示せず）の処理出力であってもよい
　
第２図は、本発明における多値画像処理回路とその周辺回路の接続関係を示すブロック図である
また、処理回路P1の出力する２値画像も２値画像用のデータバスB2へ出力可能となり、多目的に利用できるようになった
　
第３図は、本発明で利用される２値画像処理回路とその周辺回路の接続関係を示すブロック図である
　次に、以上に説明した多値画像処理回路P1と２値画像処理回路P2の具体的な動作状態を図によって説明する。
　
第４図は、多値画像処理回路P1と２値画像メモリＭ２a,Ｍ２bとの基本的な接続関係を示している
　第５図は２つの多値画像処理回路P1a,P1bが２値画像用のデータバスB2aによって結合されている状態を示している。第１の処理回路P1aは多値画像用データバスB1のうち、図示されていないチャネルより多値画像を得て、その入力データに対して何等かの処理を施し、結果として得られる２値画像を２値画像用データバスB2aに出力する。第２の処理回路P1bは多値画像用データバスB1のうち２つのデータバスB1a,B1bより２系統の多値画像を得て、演算処理を施すが、そのとき、同時に、第１の処理回路Ｐ１ａが出力している２値画像を２値画像用データバスB2aより得て、入力した２値画像により２種の演算機能を画素単位に切り換えている。第２の処理回路P1bによる多値画像の処理結果は、多値画像用のデータバスB1cに出力されている。以上のように、本発明によれば、多値画像処理回路P1の演算機能切り換え用の２値画像を２値画像メモリより得るだけでなく、他の処理回路が出力する２値画像を利用して切り換えることもできる。ここで、重要な点は、付帯的な２値画像メモリＭpを利用する場合では、利用する２値画像が予め設定された、固定的なデータであるのに対し、
第１の処理回路が出力する２値画像を第２の処理回路が利用する場合では、利用する２値画像が進行中の処理と同時刻に並列的に得られるデータであるという点である。つまり、従来複数フレームを必要としていた処理であっても、本発明によって実時間で実行できる可能性が広がったと言える
　以上の説明の中では、第１の処理回路として多値画像処理回路を用いているが、これは２値画像処理回路に置き換えが可能であることは言うまでもない。
  
第６図は、２値画像処理回路P2に入力される２値画像として多値画像処理回路P1により生成される２値画像を利用する場合の接続状態を示している
　このように、本発明によれば、従来、２値画像メモリの読出しデータだけが対象だった２値画像処理の被処理データとして、他の処理回路が出力する２値画像をも利用することが可能となる。
　
以上、本発明によって可能となった、各回路の新しい接続関係を図によって示したが、説明した新しい接続関係及び従来より可能だった接続関係などを複合したより複雑な接続が可能であることは言うまでもない。　なお、以上の説明では用いなかったが、２値画像を入力し、多値画像を出力するタイプの処理回路を、本発明の画像処理装置に組み込んで、使用することも可能である
　
（オ）「（発明の効果）
　
本発明にあっては、上述のように、多値画像の記憶、処理及び転送と、２値画像の記憶、処理及び転送を別系統で行うようにしたので、２値画像の記憶を少ない容量で効率良く行うことができ
したがって、２値画像メモリの増設や処理回路の増設が容易であり、その際の設計変更も少なくて済むという効果があり
　
　以上の記載から見て、引用例１には、次のような発明が記載されているものと認められる。
　
　「画像データを入出力するための画像入力回路２，３と、画像データを記憶するための画像メモリＭ１，Ｍ２と、画像データに対して処理を施すための処理回路Ｐ１，Ｐ２と、前記各ハードウエアを制御するための制御手段すなわちホストＣＰＵ１と、前記各ハードウエア間で画像データを転送するための画像データバスＢ１，Ｂ２とを備えて成るディジタル画像処理装置であって、
　前記画像メモリは、１画素につき複数ビットの情報量を持つ多値画像のデータを記憶する多値画像メモリＭ１と、１画素につき１ビットの情報量を持つ２値画像のデータを記憶する２値画像メモリＭ２とを別々に含み、
　前記処理回路は、多値画像を被処理画像とする多値画像処理回路Ｐ１と、２値画像を被処理画像とする２値画像処理回路Ｐ２とを別々に含み、
　前記データバスは、多値画像を取り扱う回路間で多値画像のデータを転送するための多値画像用データバスＢ１と、２値画像を取り扱う回路間で２値画像のデータを転送するための２値画像用データバスＢ２とを別々に含み、
　多値画像メモリＭ１は、制御手段すなわちホストＣＰＵ１の制御下で多値画像用データバスＢ１上の画像データを記憶し、又は、予め記憶した多値画像の画像データを多値画像用データバスＢ１上に出力し、
　２値画像メモリＭ２は、同じく制御手段の制御下で２値画像用データバスＢ２上の画像データを記憶し、又は、予め記憶した２値画像の画像データを２値画像用データバスＢ２上に出力し、
　多値画像処理回路Ｐ１は、制御手段の制御下で多値画像用データバスＢ１上の多値画像を被処理画像として入力して、多値画像又は２値画像を処理結果として出力し、
　２値画像処理回路Ｐ２は、同じく制御手段の制御下で２値画像用データバスＢ２上の２値画像を被処理画像として入力して、２値画像又は多値画像を処理結果として出力し、
　多値２値いずれの場合にも、処理結果が多値画像であるときには、多値画像用データバスＢ１に出力され、処理結果が２値画像であるときには、２値画像用データバスＢ２に出力され、
　画像入出力回路２，３は、通常、多値画像用データバスＢ１に接続され、制御手段の制御下にて外部回路との間で多値画像の画像データの入出力を行い、
　以上の構成を採ることにより、多値画像と２値画像を全く別系統で取り扱うことができ、かつ、多値画像処理回路P1と２値画像処理回路P2及び多値画像メモリＭ１と２値画像メモリＭ２が多値画像用データバスＢ１又は２値画像用データバスＢ２を介して自由に連繋でき、そして、２値画像メモリの増設や処理回路の増設は自由に行うことができ、その際の設計変更も少なくて済み、また、多値画像用の画像メモリＭ１及び処理回路Ｐ１と、２値画像用の画像メモリＭ２及び処理回路Ｐ２は共に必要に応じて増設可能であり、そしてさらに、２値画像専用のデータバスＢ２も１本に限らず必要に応じて本数を増やすことができ、　
　その動作は、先ず最初に、画像データが画像入力回路２によって多値画像として取り込まれ、多値画像用データバスＢ１に出力され、データバスＢ１上の多値画像は多値画像メモリＭ１へ入力され蓄積され、場合によっては、データバスＢ１上の多値画像は多値画像処理回路P1に直接入力されて処理を施されてもよく、また場合によっては、画像出力回路３に直接入力されて、外部出力されてもよく、
　次に、多値画像メモリＭ１に格納された多値画像は、処理時には、再び、多値画像用データバスＢ１に出力され、多値画像処理回路P1に入力され、処理回路P1では、入力された多値画像に対して演算処理が施されるが、処理出力としては、多値画像が出力される場合と２値画像が出力される場合があり、多値画像が出力される場合には、多値画像用データバスB1に出力され、２値画像が出力される場合には、２値画像用データバスB2に出力され、処理回路P1からデータバスB１又はB2上に出力されたデータは、多値画像であれば多値画像メモリＭ１に、２値画像であれば２値画像メモリＭ２に格納され、
　次に、２値画像に対する演算処理は、２値画像メモリＭ２から２値画像用データバスＢ２に２値画像が読出され、データバスＢ２上の２値画像が２値画像処理回路Ｐ２に入力されることにより実現され、処理結果として得られる２値画像も再び２値画像用データバスＢ２に出力され、この時、処理される２値画像源は、２値画像メモリＭ２の読出しデータに限らず、多値画像処理回路Ｐ１からの２値画像出力であってもよく、また別の２値画像処理回路の処理出力であってもよいディジタル画像処理装置。」
　
３．対比
　本願発明と引用例１に記載された発明とを対比すると、引用例１に記載された発明の「画像入力回路２」は、本願発明の「画像情報入力手段」に相当し、引用例１に記載された発明の「多値画像処理回路P1」は、本願発明の「第１の画像処理手段」に相当し、引用例１に記載された発明の「２値画像処理回路P2」は、本願発明の「第２の画像処理手段」に相当し、引用例１に記載された発明の「画像出力回路３、及び、外部の画像表示機器や画像記録機器」は、本願発明の「画像情報再現手段」に相当し、引用例１に記載された発明の「多値画像用の画像メモリＭ１、及び２値画像メモリＭ２」は、本願発明の「画像記憶手段」に相当し、引用例１に記載された発明の「ディジタル画像処理装置」は、本願発明の「画像処理装置」に相当することは、明らかである。
　
　そして、引用例１には、
(i)「最初、
画像データが画像入力回路２によって多値画像として取り込まれ
との記載がなされており、この記載からみるに、本願発明と引用例１に記載された発明とは、
　「画像情報を多値画像として入力するための画像情報入力手段」
を有する点で差異はない。
　
　引用例１には、
(ii)「
多値画像処理回路Ｐ１は、制御手段の制御下で多値画像用データバスＢ１上の多値画像を被処理画像として入力して、多値画像又は２値画像を処理結果として出力する
２値画像処理回路Ｐ２は、同じく制御手段の制御下で２値画像用データバスＢ２上の２値画像を被処理画像として入力して、２値画像又は多値画像を処理結果として出力する。いずれの場合にも、処理結果が多値画像であるときには、多値画像用データバスＢ１に出力され、処理結果が２値画像であるときには、２値画像用データバスＢ２に出力される。なお、画像入出力回路２，３は、通常、多値画像用データバスＢ１に接続され、制御手段の制御下にて外部回路との間で多値画像の画像データの入出力を行う。」（第４頁下右欄第９行〜第５頁上左欄第２行）
(iii)「多値画像メモリＭ１に格納された多値画像は、処理時には、再び、多値画像用データバスＢ１に出力され、
多値画像処理回路P1に入力される。処理回路P1では、入力された多値画像に対して演算処理が施されるが、処理出力としては、多値画像が出力される場合と２値画像が出力される場合がある
処理回路P1からデータバスB１又はB2上に出力されたデータは、多値画像であれば多値画像メモリＭ１に、２値画像であれば２値画像メモリＭ２に格納される
との記載がなされており、これらの記載からみるに、本願発明と引用例１に記載された発明とは、
　「画像情報入力手段により多値画像として入力された画像情報に対して所定の画像処理を行うための第１の画像処理手段」
を有する点で差異はない。
　
　引用例１には、
(iv)「多値画像処理回路Ｐ１は、制御手段の制御下で多値画像用データバスＢ１上の多値画像を被処理画像として入力して、多値画像又は２値画像を処理結果として出力する。
２値画像処理回路Ｐ２は、同じく制御手段の制御下で２値画像用データバスＢ２上の２値画像を被処理画像として入力して、２値画像又は多値画像を処理結果として出力する。いずれの場合にも、処理結果が多値画像であるときには、多値画像用データバスＢ１に出力され、処理結果が２値画像であるときには、２値画像用データバスＢ２に出力される
(v)「２値画像に対する演算処理は、２値画像メモリＭ２から２値画像用データバスＢ２に２値画像が読出され、データバスＢ２上の２値画像が
２値画像処理回路Ｐ２に入力されることにより実現される
この時、処理される２値画像源は、２値画像メモリＭ２の読出しデータに限らず、多値画像処理回路Ｐ１からの２値画像出力であってもよく、また別の２値画像処理回路（図示せず）の処理出力であってもよい
(vi)「
第１の処理回路が出力する２値画像を第２の処理回路が利用する場合では、利用する２値画像が進行中の処理と同時刻に並列的に得られるデータであるという点である。つまり、従来複数フレームを必要としていた処理であっても、本発明によって実時間で実行できる可能性が広がったと言える
(vii)「
第６図は、２値画像処理回路P2に入力される２値画像として多値画像処理回路P1により生成される２値画像を利用する場合の接続状態を示している
との記載がなされており、これらの記載からみるに、本願発明と引用例１に記載された発明とは、
　「第１の画像処理手段により所定の画像処理が施された画像情報に対して、異なる２値画像として所定の画像処理を行うための第２の画像処理手段」
を有する点で差異はない。
　
  引用例１には、入力された多値画像は、多値画像処理回路P1で演算処理が施されるが、処理出力としては、多値画像が出力される場合と２値画像が出力される場合があり、多値画像であれば多値画像メモリＭ１に、２値画像であれば２値画像メモリＭ２に格納されることが記載されており（前記(iii)、(iv)参照。）、また、２値画像処理回路P2で処理される２値画像源は、２値画像メモリＭ２の読出しデータに限らず、多値画像処理回路P1からの２値画像出力であってもよく、また別の２値画像処理回路（図示せず）の処理出力であってもよいことが記載されており（前記(v)参照。）、そして、２値画像処理回路P2に入力される２値画像として多値画像処理回路P1により生成される２値画像を利用することが記載されており（前記(vii)参照。）、そして、引用例１には、
(viii)「
画像データの出力は
画像出力回路３を介して、外部の画像表示機器や画像記録機器などに出力されることにより達成される
との記載がなされており、これらの記載からみるに、本願発明と引用例１に記載された発明とは、
　「第１の画像処理手段もしくは第２の画像処理手段により所定の処理が施された画像情報を画像として再現するための画像情報再現手段」
を有する点で差異はない。
　
　引用例１には、
(ix)「
画像データの出力は、
画像出力回路３を介して、外部の画像表示機器や画像記録機器などに出力されることにより達成される
　以上の他、画像データバスＢ１の内部構成によっては、画像入力回路２より得られる画像データを処理回路Ｐ１に直接導くこともできるし、あるいは、
処理回路Ｐ１の出力するデータを画像出力回路３へ直接導くこともできる
画像データバスＢ１を介した各回路の接続関係によって画像入力、画像処理、画像出力などの動作状態が決定される
(x)「多値画像処理回路Ｐ１は、制御手段の制御下で多値画像用データバスＢ１上の多値画像を被処理画像として入力して、多値画像又は２値画像を処理結果として出力する。
２値画像処理回路Ｐ２は、同じく制御手段の制御下で２値画像用データバスＢ２上の２値画像を被処理画像として入力して、２値画像又は多値画像を処理結果として出力する。いずれの場合にも、処理結果が多値画像であるときには、多値画像用データバスＢ１に出力され、処理結果が２値画像であるときには、２値画像用データバスＢ２に出力される。
なお、画像入出力回路２，３は、通常、多値画像用データバスＢ１に接続され、制御手段の制御下にて外部回路との間で多値画像の画像データの入出力を行う
との記載がなされており、これらの記載からみるに、本願発明と引用例１に記載された発明とは、
　「画像情報再現手段は第１の画像処理手段に接続され」
ている点で差異はない。
　
　引用例１には、
(xi)「また、本発明は、単に
多値画像と２値画像を全く別系統で取り扱うようにした
多値画像処理回路P1と２値画像処理回路P2及び多値画像メモリＭ１と２値画像メモリＭ２が多値画像用データバスＢ１又は２値画像用データバスＢ２を介して自由に連繋できるという点
２値画像メモリの増設や処理回路の増設は自由に行うことができ、その際の設計変更も少なくて済む
(xii)「第１図に本発明によるディジタル画像処理装置の構成を示す。図中、Ｍ２は２値画像メモリ、Ｐ２は２値画像処理回路、Ｂ２は２値画像専用のデータバスであり、その他の構成については第７図の構成と同じである。
多値画像用の画像メモリＭ１及び処理回路Ｐ１と、２値画像用の画像メモリＭ２及び処理回路Ｐ２は共に必要に応じて増設可能である
データバスＢ２も１本に限らず必要に応じて本数を増やすことができる
(xiii)「以上、本発明によって可能となった、各回路の新しい接続関係を図によって示したが、説明した新しい接続関係及び従来より可能だった接続関係などを複合した
より複雑な接続が可能である
　なお、以上の説明では用いなかったが、
２値画像を入力し、多値画像を出力するタイプの処理回路を、本発明の画像処理装置に組み込んで、使用することも可能である
(xiv)「また、２値画像メモリは、従来例のように処理回路に付帯的に接続されているのではなく、２値画像用のデータバスを介して処理回路に接続されているので、特定の処理回路に２値画像メモリが従属することはなく、
したがって、２値画像メモリの増設や処理回路の増設が容易であり、その際の設計変更も少なくて済むという効果があり
との記載がなされており、これらの記載からみるに、引用例１に記載の発明は、多値画像と２値画像を互いに分離独立して全く別系統で取り扱うようにしており、そして引用例１に記載された発明でいう「増設可能」と本願発明でいう「追加可能」とは同じことであるから、本願発明と引用例１に記載された発明とは、
　「第２の画像処理手段は第１の画像処理手段に対し追加可能な異なる構成部品として分割構成されている」
点で差異はない。
　なお、原審が拒絶の理由に引用した特開平５−６８１２１号公報にも、各種画像処理を行う回路をその機能毎に複数の処理ボード（回路基板）に別々にユニット構成し、各処理ボードの増設を自由に行い，さまざまな動作形態に簡単に対応できる画像形成装置を提供することが記載されている。
　
　引用例１には、
(xv)（問題点を解決するための手段）
　本発明は、前記目的を達成するためになされたもので、第１図に示すように、画像データを入出力するための画像入力回路２，３と、画像データを記憶するための
画像メモリ
Ｍ２
処理回路
Ｐ２
画像データバス
Ｂ２とを備えて成る画像処理装置におい
、前記画像メモリは
１画素につき１ビットの情報量を持つ２値画像のデータを記憶する２値画像メモリＭ２とを別々に含み
２値画像を被処理画像とする２値画像処理回路Ｐ２とを別々に含み
前記データバスは
２値画像を取り扱う回路間で２値画像のデータを転送するための２値画像用データバスＢ２とを別々に含む
（作用）
　以下、第１図により本発明の作用を説明する。多値画像メモリＭ１は、制御手段（ホストＣＰＵ１）の制御下で多値画像用データバスＢ１上の画像データを記憶し、又は、予め記憶した多値画像の画像データを多値画像用データバスＢ１上に出力する。
２値画像メモリＭ２は、同じく制御手段の制御下で２値画像用データバスＢ２上の画像データを記憶し、又は、予め記憶した２値画像の画像データを２値画像用データバスＢ２上に出力する
２値画像処理回路Ｐ２は、同じく制御手段の制御下で２値画像用データバスＢ２上の２値画像を被処理画像として入力して、２値画像又は多値画像を処理結果として出力する
なお、画像入出力回路２，３は、通常、多値画像用データバスＢ１に接続され、制御手段の制御下にて外部回路との間で多値画像の画像データの入出力を行う
　
本発明は
２値画像の記憶、処理及び転送は、２値画像メモリＭ２、２値画像処理回路Ｐ２及び２値画像用データバスＢ２をそれぞれ用いて効率良く行うことができる。つまり、２値画像の記憶は、メモリ容量の大きな多値画像用の画像メモリＭ１を用いることなく、メモリ容量の小さな２値画像用の画像メモリＭ２を用いて効率良く行うことができる
２値画像の転送は、
１枚の２値画像につき１本の２値画像用データバスＢ２を用いて効率良く行うことができる
(xvi)「多値画像メモリＭ１に格納された多値画像は、処理時には、再び、多値画像用データバスＢ１に出力され、多値画像処理回路P1に入力される。処理回路P1では、入力された多値画像に対して演算処理が施されるが、処理出力としては、多値画像が出力される場合と２値画像が出力される場合がある。多値画像が出力される場合には、多値画像用データバスB1に出力され、２値画像が出力される場合には、２値画像用データバスB2に出力される。処理回路P1からデータバスB１又はB2上に出力されたデータは、多値画像であれば多値画像メモリＭ１に、２値画像であれば２値画像メモリＭ２に格納される。
　
２値画像に対する演算処理は、２値画像メモリＭ２から２値画像用データバスＢ２に２値画像が読出され、データバスＢ２上の２値画像が２値画像処理回路Ｐ２に入力されることにより実現される。処理結果として得られる２値画像も再び２値画像用データバスＢ２に出力される
この時、処理される２値画像源は、２値画像メモリＭ２の読出しデータに限らず、多値画像処理回路Ｐ１からの２値画像出力であってもよく、また別の２値画像処理回路（図示せず）の処理出力であってもよい。
との記載がなされており、これらの記載からみるに、本願発明と引用例１に記載された発明とは、
　「第２の画像処理手段には、画像情報が記憶可能な画像記憶手段が接続され」
ている点で差異はない。
　
　引用例１には、
(a)画像データが画像入力回路２によって多値画像として取り込まれ、多値画像メモリＭ１へ入力され蓄積され（前記(i)参照。）、
(b)多値画像メモリＭ１に格納された多値画像は、処理時には、多値画像処理回路P1に入力され、多値画像処理回路P1で、所定の演算処理が施され、その演算結果は、多値画像または２値画像として出力され、多値画像の場合は多値画像メモリＭ１へ格納され、２値画像の場合は２値画像メモリＭ２へ格納され（前記(ii)、(iii)参照。）、
(c)２値画像処理回路P2で処理される２値画像源は、２値画像メモリＭ２の読出しデータに限らず、多値画像処理回路Ｐ１からの２値画像出力であってもよく、また別の２値画像処理回路（図示せず）の処理出力であってもよく（前記(v)、(vii)参照。）、
(d)画像データの出力は、画像メモリＭ１から読み出された画像データが画像出力回路３を介して、外部の画像表示装置や画像記録機器などに出力されることにより達成され（前記(viii)、(ix)参照。）、また画像入出力回路２，３は、通常は、多値画像用データバスＢ１に接続され、制御手段の制御下にて外部回路との間で多値画像の画像データの入出力を行う（前記(x)参照。）ことが記載されているから、本願発明と引用例１に記載された発明とは、
　「画像情報入力手段により入力された画像情報は第１の画像処理手段により所定の画像処理が施され画像情報再現手段により画像として再現されるとともに、さらに第２の画像処理手段を追加することにより２値画像として所定の画像処理が施され」
る点で差異はない。
　
　そうすると、本願発明と引用例１に記載された発明とは、
（一致点）
　「画像情報を多値画像として入力するための画像情報入力手段と、
　上記画像情報入力手段により多値画像として入力された画像情報に対して所定の画像処理を行うための第１の画像処理手段と、
　上記第１の画像処理手段により所定の画像処理が施された画像情報に対して、異なる２値画像として所定の画像処理を行うための第２の画像処理手段と、
　上記第１の画像処理手段もしくは第２の画像処理手段により所定の処理が施された画像情報を画像として再現するための画像情報再現手段とからなり、
　上記画像情報再現手段は上記第１の画像処理手段に接続され、
　上記第２の画像処理手段は上記第１の画像処理手段に対し追加可能な異なる構成部品として分割構成されており、
　上記第２の画像処理手段には、画像情報が記憶可能な画像記憶手段が接続され、
　上記画像情報入力手段により入力された画像情報は上記第１の画像処理手段により上記所定の画像処理が施され上記画像情報再現手段により画像として再現されるとともに、さらに上記第２の画像処理手段を追加することにより２値画像として所定の画像処理が施されることを特徴とする画像処理装置。」
である点で一致する。
　
（相違点の認定に先立って）
　相違点の認定に先立って、先に、引用例１の記載から摘記した事項を、今再び書き記すと以下のとおりである。。
(ii)「
多値画像処理回路Ｐ１は
多値画像又は２値画像を処理結果として出力する
２値画像処理回路Ｐ２は
２値画像又は多値画像を処理結果として出力する
いずれの場合にも、処理結果が多値画像であるときには、多値画像用データバスＢ１に出力され、処理結果が２値画像であるときには、２値画像用データバスＢ２に出力される
通常
(iii)「多値画像メモリＭ１に格納された多値画像は、処理時には、再び、多値画像用データバスＢ１に出力され、多値画像処理回路P1に入力される。
処理回路P1では
処理出力としては、多値画像が出力される場合と２値画像が出力される場合がある
多値画像が出力される場合には、多値画像用データバスB1に出力され、２値画像が出力される場合には、２値画像用データバスB2に出力される
処理回路P1からデータバスB１又はB2上に出力されたデータは、多値画像であれば多値画像メモリＭ１に、２値画像であれば２値画像メモリＭ２に格納される
(v)「２値画像に対する演算処理は、２値画像メモリＭ２から２値画像用データバスＢ２に２値画像が読出され、データバスＢ２上の２値画像が２値画像処理回路Ｐ２に入力されることにより実現される。
（中略）
　
この時、処理される２値画像源は、２値画像メモリＭ２の読出しデータに限らず、多値画像処理回路Ｐ１からの２値画像出力であってもよく、また別の２値画像処理回路（図示せず）の処理出力であってもよい
(vii)「
第６図は、２値画像処理回路P2に入力される２値画像として多値画像処理回路P1により生成される２値画像を利用する場合の接続状態を示している
(viii)「
画像データの出力は
画像出力回路３を介して、外部の画像表示機器や画像記録機器などに出力されることにより達成される
(ix)「
画像データの出力は、
画像出力回路３を介して、外部の画像表示機器や画像記録機器などに出力されることにより達成される
　以上の他、画像データバスＢ１の内部構成によっては、画像入力回路２より得られる画像データを処理回路Ｐ１に
直接
直接
画像データバスＢ１を介した各回路の接続関係によって画像入力、画像処理、画像出力などの動作状態が決定される
(xiii)「以上、本発明によって可能となった、各回路の新しい接続関係を図によって示したが、説明した新しい接続関係及び従来より可能だった接続関係などを複合した
より複雑な接続が可能である
　なお、以上の説明では用いなかったが、
２値画像を入力し、多値画像を出力するタイプの処理回路を、本発明の画像処理装置に組み込んで、使用することも可能である
　以上の記載からみて、引用例１に記載された発明は、画像入力回路２によって取り込んだ多値画像データを、多値画像用データバスＢ１に出力し、多値画像メモリＭ１へ格納し、処理時には再び、多値画像メモリＭ１から読み出し、多値画像用データバスＢ１に出力して多値画像処理回路P1に入力し、そして、多値画像処理回路P1での処理結果が多値画像であれば多値画像用データバスＢ１を介して多値画像メモリＭ１に格納し、処理結果が２値画像であれば２値画像用データバスＢ２を介して２値画像メモリＭ２に格納し、次に、２値画像メモリＭ２に格納されている２値画像または多値画像処理回路P1からの２値画像出力を、バスＢ２を介して２値画像処理回路P2に入力し、処理結果が２値画像であればバスＢ２を介して２値画像メモリＭ２に格納し、処理結果が多値画像であればバスＢ１を介して多値画像メモリＭ１に格納し、その後、メモリＭ１に格納されている処理済みの画像データを、画像出力回路３を介して画像表示機器や画像記録機器により画像として再現するものである。
　
　そうすると、本願発明と引用例１に記載された発明は、次の点で相違する。
（相違点１）
　本願発明は、第２の画像処理手段が、外部から通信回線を介して送られてきた画像情報を受け入れるための入力部を備え、該入力部から入力された画像情報を２値画像として処理し、そして前記入力部により外部から通信回線を介して送られてきた画像情報を第２の画像処理手段に接続された画像記憶手段に記憶しているのに対し、
　引用例１に記載された発明は、２値画像処理回路P2（第２の画像処理手段に相当）が、ディジタル画像処理装置内部の画像データを受け入れ、２値画像として処理し、そしてディジタル画像処理装置内部の画像データを２値画像処理回路P2に接続された２値画像メモリＭ２に記憶するものではあるが、外部から通信回線を介して送られてきた画像データを受け入れ２値画像として処理し、そして外部から通信回線を介して送られてきた画像データを２値画像処理回路P2に接続された２値画像メモリＭ２に記憶するとは明記しない点。
　
（相違点２）
　本願発明は、第２の画像処理手段が、外部から通信手段を介して送られてきた画像情報に対しても２値画像としての所定の画像処理を施し、該第２の画像処理手段で２値画像処理された画像情報を、再現手段により画像として再現しているのに対し、
　引用例１に記載された発明は、２値画像処理回路P2（第２の画像処理手段に相当）が、ディジタル画像処理装置内部の画像データに対して２値画像としての所定の画像処理を施し、該２値画像処理回路Ｐ２で２値画像処理された画像データを、画像出力回路３を介して画像表示機器や画像記録機器により画像として再現するものではあるが、通信回線を介して外部の画像データから受信した画像データに２値画像としての所定の画像処理を施し、処理後の画像データを画像表示機器や画像記録機器により画像として再現するとは明記しない点。
　
４．当審の判断
（相違点１について）
　前記相違点について判断するに、
(i)引用例１には、
(i.a)「この時、処理される２値画像源は、２値画像メモリＭ２の読出しデータに限らず、多値画像処理回路Ｐ１からの２値画像出力であってもよく、また
別の２値画像処理回路（図示せず）の処理出力であってもよい
(i.b)「第１の処理回路が出力する２値画像を第２の処理回路が利用する場合では、
利用する２値画像が進行中の処理と同時刻に並列的に得られるデータである
との記載がなされており、これらの記載からみるに、引用例１に記載された発明は、入力回路２に取り込まれる画像データが、外部から通信回線を介して入力される画像データであることを排除するものではない。
(ii)画像情報を、インターネット等の通信回線を介して互いに送受し合い、受信した画像情報を記憶装置に格納し、その後記憶装置から画像情報を読み出して表示又は印刷し、そして該画像情報に対して所定の処理をし編集することは、当業者のみならず、一般のパーソナルコンピュータのユーザが、従来より行っている周知技術事項である。
(iii)処理装置に設けられたスキャナ（画像読取手段）を用い、処理装置の外部にある画像情報を読み取り、処理装置内部のメモリに読み込み、その後メモリから画像情報を読み出し、通信回線を介して他の処理装置に送信すること等は、当業者のみならずパーソナルコンピュータのユーザ及びファクシミリ装置のユーザが従来より行っている周知技術事項である。
(iv)画像処理系３０としての多値画処理系３１及び２値画処理系１８、更に画像処理に必要なＭＰＵ等も含む他の機能を１チップ上に集積した画像処理装置において、
　(iv.a)センサ１７（画像読取手段）により外部の画像情報を取り込み、該取り込んだ画像情報に対して多値画像処理を施し、さらに２値画像処理をも施すこと、
　(iv.b)外部から通信回線を介して送られてきた２値画像情報を受信し、該画像情報を２値画像処理系１８で処理することは、例えば、当審が拒絶の理由で引用した特開平８−１１０８８５号公報にその旨が開示されているように、当業者には周知な技術事項である。
　したがって、前記(ii)〜(iv)に示される周知技術事項を引用例１に記載された発明に適用して、本願発明の如く、画像処理装置内部の画像情報だけに限らず、外部から通信回線を介して受信した画像情報に対しても、第２の画像処理手段により２値画像としての処理を施すことは、当業者が適宜なし得ることである。
　
（相違点２について）
　前記相違点２について判断するに、
(i)先に述べたように、引用例１には、入力回路２にて取り込んだ画像データを、多値画像処理回路P1で多値画像処理し、更に２値画像処理回路P2で２値画像処理し、その後画像出力回路３を介して画像表示機器や画像記録機器に再現することが記載されている。
(ii)画像処理装置内部の画像情報を表示手段及び記録手段により再現することは、当業者が従来より行っている周知な技術事項であり、また、通信回線を介して受信した画像情報を、表示手段や記録手段により画像として再現することも当業者が従来より行っている周知な技術事項である。
(iii)モノクロ多値画像スキャナー１により読み込んだ装置外部にある２値または多値画像データに対して多値画像処理または２値画像処理を施し、処理後の２値または多値の画像データをモノクロ多値出力プリンタ１１を用いて、２値画像または多値画像として再現することは、当審が拒絶の理由で引用した特開平４−１５１９７６号公報にその旨が開示されているように、当業者には周知な技術事項である。
　したがって、引用例１に記載された発明に前記(ii)、(iii)に示される周知技術事項を適用して、本願発明の如く、画像処理装置内部の画像情報に限らず、外部から通信回線を介して受信した画像情報についても第２の画像処理手段により２値画像としての処理を施し画像として再現するようにすることは、当業者が適宜なし得ることである。
　
５．むすび
　以上のとおり、本願発明は、引用例１に記載された発明及び周知技術に基づいて当業者が容易に発明をすることができたものであり、特許法第２９条第２項の規定により特許を受けることができないものであるから、他の請求項について検討するまでもなく、本願は特許を受けることができない。
　よって、結論のとおり審決する。